(57)【要約】【課題】  召し合わせ框用キャップと下框とに亘って連続してタイト材を装着でき且つタイト材を所定位置に容易に装着できる折り戸を提供する。【解決手段】  本発明の折り戸１において、下框１５及び召し合わせ框用キャップ２１ａ、２１ｂの各タイト材ホルダー溝２５、３３は溝壁から溝内に突設した係止部３９を有しており且つ下框１５のタイト材ホルダー溝２５と召し合わせ框用キャップ２１ａ、２１ｂのタイト材ホルダー溝３３とが連続しており、タイト材は２３上部に被係止部４５を下部に下端が下枠７に当接するタイト部４７を長手方向に亘って有し、被係止部４５を下框１５及び召し合わせ框用キャップ２１ａ、２１ｂのタイト材ホルダー溝２５、３３に下方から嵌め込んで係止部３９に係止してあると共に下框１５と召し合わせ框用キャップ２１ａ、２１ｂとに亘ってタイト材２５が連続している。【選択図】      図１
2005256278.tif 000002
【特許請求の範囲】
【請求項１】
左右の戸体と、戸体の召し合わせ框下端に夫々取り付けてある召し框用キャップと、タイト材とを備え、左右の戸体の下框は下方が開口するタイト材ホルダー溝を下框の長手方向に亘って有しており、召し合わせ框用キャップは下部に下方が開口するタイト材ホルダー溝を有し、下框及び召し合わせ框用キャップの各タイト材ホルダー溝は溝壁から溝内に突設した係止部を有しており且つ下框のタイト材ホルダー溝と召し合わせ框用キャップのタイト材ホルダー溝とが連続しており、タイト材は上部に被係止部を下部に下端が下枠に当接するタイト部を長手方向に亘って有し、被係止部を下框及び召し合わせ框用キャップのタイト材ホルダー溝に下方から嵌め込んで係止部に係止してあると共に下框と召し合わせ框用キャップとに亘ってタイト材が連続していることを特徴とする折り戸。
【発明の詳細な説明】
【技術分野】
【０００１】
本発明は、戸体の下端にタイト材を備えた折り戸に関するものである。
【背景技術】
【０００２】
特許文献１には、折り戸の左右戸体の下框と召し合せ框の下端に取り付けた召し合せ框用キャップとの各々に連続するタイト材ホルダー溝を設け、下框とキャップとに亘って連続したタイト材を装着することが開示されている。
【０００３】
【特許文献１】特開２０００−３５６０７７号公報
【発明の開示】
【発明が解決しようとする課題】
【０００４】
しかし、上述した特許文献１に開示の技術では、タイト材ホルダー溝の長手方向の一端側からタイト材を溝内にスライド挿入して下框とキャップとのタイト材ホルダー溝にタイト材を装着しているので、タイト材は軟質樹脂製である為にスライド挿入による装着がし難いと共に、キャップにはタイト材ホルダー溝の溝幅を狭める絞り部を形成しているため、タイト材をスライド挿入し難く、所定の位置までタイト材を装着することが困難になるという問題がある。
そこで本発明は、召し合わせ框用キャップと下框とに亘って連続してタイト材を装着でき且つタイト材を所定位置に容易に装着できる折り戸の提供を目的とする。
【課題を解決するための手段】
【０００５】
請求項１に記載の発明は、左右の戸体と、戸体の召し合わせ框下端に夫々取り付けてある召し合わせ框用キャップと、タイト材とを備え、左右の戸体の下框は下方が開口するタイト材ホルダー溝を下框の長手方向に亘って有しており、召し合わせ框用キャップは下部に下方が開口するタイト材ホルダー溝を有し、下框及び召し合わせ框用キャップの各タイト材ホルダー溝は溝壁から溝内に突設した係止部を有しており且つ下框のタイト材ホルダー溝と召し合わせ框用キャップのタイト材ホルダー溝とが連続しており、タイト材は上部に被係止部を下部に下端が下枠に当接するタイト部を長手方向に亘って有し、被係止部を下框及び召し合わせ框用キャップのタイト材ホルダー溝に下方から嵌め込んで係止部に係止してあると共に下框と召し合わせ框用キャップとに亘ってタイト材が連続していることを特徴とする。
【発明の効果】
【０００６】
請求項１に記載の発明では、タイト材は下框のタイト材ホルダー溝と召し合わせ框用キャップのタイト材ホルダー溝とのそれぞれに下方から嵌め込んで装着する。タイト材ホルダー溝に嵌め込まれたタイト材の被係止部は係止部により溝内に係止される。
したがって、本発明によれば、タイト材を嵌め込みにより下框及び召し合わせ框用キャップに装着するので、従来技術のようにタイト材を溝の長手方向一端からスライド挿入する場合に比較して、タイト材を装着すべき所定位置に容易に装着できる。
しかも、召し合わせ框用キャップと下框とに連続してタイト材を設けることができる。
【発明を実施するための最良の形態】
【０００７】
以下に、添付図面を参照して本発明の実施の形態を詳細に説明する。図１（ａ）は本発明の実施の形態にかかる折り戸において左右の戸体の召し合わせ部を抜き出して示す浴室側から見た正面図であり、（ｂ）は（ａ）のＡ−Ａ断面図であり、図２は図１（ａ）のＢ−Ｂ断面図であり、図３は図１に示す召し合わせ部の横断面図であり、図４は左召し合わせ框用キャップの図であり、（ａ）は正面図、（ｂ）は側面図、（ｃ）は平面図であり、図５は右召し合わせ框用キャップの図であり、（ａ）は正面図、（ｂ）は側面図、（ｃ）は平面図であり、図６は図１に示す折り戸の横断面図である。尚、図１（ａ）において一点鎖線で抜き出して示すのはキャップ２１ａの溝端壁４１側におけるタイト材２３端部の斜視図である。
本実施の形態にかかる折り戸１は、浴室戸であって、枠３と左右の戸体５、６とを備えており、下枠７に設けたレール９と浴室床面１１と脱衣室床面１３とが略同一高さであり、段差のない構成（バリヤフリー）になっている。
左右の戸体５、６はそれぞれ、下框１５、１５と、相互に回動自在に連結した召し合せ框１７、１７と、召し合せ框１７、１７の下端に装着した召し合わせ框用キャップ（以下、単に「キャップ」という）２１ａ、２１ｂと、各戸体５、６の下端にそれぞれ設けたタイト材２３とを備えている。
左戸体５と右戸体６の各下框１５には、下方が開口するタイト材ホルダー溝２５がそれぞれ長手方向に形成されている。各タイト材ホルダー溝２５には浴室側溝壁２７と脱衣室側溝壁２９とからそれぞれ溝内に向けて突設した係止部３１が形成されている。この係止部３１はタイト材ホルダー溝２５の長手方向に亘って形成されている。
召し合わせ框用キャップ２１ａ、２１ｂには、それぞれ下框１５のタイト材ホルダー溝２５に連続するタイト材ホルダー溝３３が形成されている。キャップ２１ａ、２１ｂのタイト材ホルダー溝３３は下框１５のタイト材ホルダー溝２５と断面が略同じ形状であり、且つ室内側溝壁３５と室外側溝壁３７とにそれぞれ係止部３９が溝内に突設して形成されている。キャップ２１ａ、２１ｂの各タイト材ホルダー溝３３は、両キャップ２１ａ、２１ｂの突合せ側端が溝端壁４１により塞がれている。
キャップ２１ａ、２１ｂはそれぞれ浴室側に露出して水を下方に案内するガイド部４３を有しており、ガイド部４３の上部には浴室側に向かって下方に傾斜する傾斜部４４が設けてある。
尚、左側（図１（ａ）における左側）キャップ２１ａには、回動によりレールに係脱するラッチ５０が取り付け可能になっている。
各タイト材２３は、下框１５ａ（又は１５ｂ）のタイト材ホルダー溝２５とキャップ２１ａ（又は２１ｂ）のタイト材ホルダー溝３３とに渡って連続して装着されている。各タイト材２３は、それぞれ上部に被係止部４５を下部にタイト部４７を有しており、被係止部４５は下框１５及びキャップ２１ａ、２１ｂのタイト材ホルダー溝３３に長手方向に亘って嵌合していると共に係止部３９により溝３３内に係止されている。タイト部４７は下端が下枠７に当接している。
左右のキャップ２１ａ、２１ｂの突合せ側端では、溝端壁４１の略厚み寸法分Ｌだけ被係止部４５の長さよりもタイト部４７の長さが長くなっており、折り戸１を閉じた位置で左右の戸体５、６にそれぞれ取り付けたタイト材２５、２５のタイト部４７が当接している。
タイト材２３は、下框１５のタイト材ホルダー溝２５及びキャップ２１ａ（又は２１ｂ）のタイト材ホルダー溝３３の長手方向の寸法を合計した寸法よりも僅かに長い寸法のものを用いて各溝２５、３３に縮めて取り付けており、タイト材２３に熱による収縮が生じても各ホルダー溝２５、３３の長手方向に隙間ができ難くなっている。
【０００８】
次に、本実施の形態にかかる折り戸１におけるタイト材の装着及び作用及び効果を説明する。
各戸体５、６において、各タイト材２３はそれぞれ下框１５のタイト材ホルダー溝２５とキャップ２１ａ（又は２１ｂ）のタイト材ホルダー溝３３とのそれぞれに下方から溝内に嵌め込んで、タイト材２３をその長手方向全体に亘って装着する。各タイト材ホルダー溝２５、３３に嵌め込まれたタイト材２３は各タイト材ホルダー溝２５、３３の溝内に突出する係止部３１、３５によりそれぞれ溝内に係止される。
各タイト材２３は下方からの嵌め込みにより下框１５のタイト材ホルダー溝２５及びキャップ２１ａ（又は２１ｂ）のタイト材ホルダー溝３３に装着するので、従来技術のようにタイト材２３をタイト材ホルダー溝２５、３３の長手方向一端からスライド挿入する場合に比較して、タイト材２５を装着すべき所定位置に容易に装着できる。特に、タイト材の破損や損傷による交換を行う場合にメンテナンス性の向上を図ることができる。
各戸体５、６では、タイト材２５は、キャップ２１ａ、２１ｂと下框１５との両者に連続して装着できる。
キャップ２１ａ、２１ｂのタイト材ホルダー溝３３では、折り戸１を閉じたときの突合せ側の溝端壁４１がタイト材ホルダー溝３３を閉じているので、タイト材２３をタイト材ホルダー溝３３に嵌め入れた場合にキャップ２１ａ、２１ｂからタイト材２３の端が飛び出すのを防止でき、外観が良い。更に、キャップ２１ａ、２１ｂのタイト材ホルダー溝３３に水が侵入するのを防止できる。
また、本実施の形態では、溝端壁４１があっても左右の戸体５、６に取り付けたタイト材２３は被係止部４５よりもタイト部４７を長くしてあり、タイト部４７が溝端壁４１の厚みＬだけ長くなっているので、折り戸を閉じたときに左右のタイト材２３ａ、２３ｂのタイト部４７の端が突き合うので突合せ部分における水の侵入を防止できる。また、このようにタイト部４７を被係止部４５よりも長く形成することにより、熱や経年劣化により収縮した場合にも突合せ部における隙間を少なくでき止水効果が高い。
キャップ２１ａ、２１ｂは、浴室側に露出するガイド部４３の上部には傾斜した傾斜部４４が設けてあるので、水を下方に案内してキャップに水が溜まるのを防止できる。
【０００９】
本発明は、上述した実施の形態に限らず、本発明の要旨を逸脱しない範囲で種々変形可能である。
キャップ２１ａ、２１ｂのタイト材ホルダー溝３３における溝端側におけるタイト部４７の端は折り戸を閉じた時に左右のタイト部４７、４７が当接することに限らず重なるものであってもよい。
【図面の簡単な説明】
【００１０】
【図１】（ａ）は本発明の実施の形態にかかる折り戸において左右の戸体の召し合わせ部を抜き出して示す浴室側から見た正面図であり、（ｂ）は（ａ）のＡ−Ａ断面図である。
【図２】図１（ａ）のＢ−Ｂ断面図である。
【図３】図１に示す召し合わせ部の横断面図である。
【図４】左召し合わせ框用キャップの図であり、（ａ）は正面図、（ｂ）は側面図、（ｃ）は平面図である。
【図５】右召し合わせ框用キャップの図であり、（ａ）は正面図、（ｂ）は側面図、（ｃ）は平面図である。
【図６】図１に示す折り戸の横断面図である。
【符号の説明】
【００１１】
１      折り戸
５      左戸体
６      右戸体
７      下枠
１５    下框
２１ａ、２１ｂ    召し合わせ框用キャップ
２３    タイト材
２５    タイト材ホルダー溝（下框）
３１    係止部（下框）
３３    タイト材ホルダー溝（召し合わせ框用キャップ）
３９    係止部（召し合わせ框用キャップ）
４５    被係止部
４７    タイト部
【図１】
2005256278.tif 000003
【図２】
2005256278.tif 000004
【図３】
2005256278.tif 000005
【図４】
2005256278.tif 000006
【図５】
2005256278.tif 000007
【図６】
2005256278.tif 000008
【手続補正書】
【提出日】平成16年3月12日(2004.3.12)
【手続補正１】
【補正対象書類名】特許請求の範囲
【補正対象項目名】全文
【補正方法】変更
【補正の内容】
【特許請求の範囲】
【請求項１】
左右の戸体と、戸体の召し合わせ框下端に夫々取り付けてある召し合わせ框用キャップと、タイト材とを備え、左右の戸体の下框は下方が開口するタイト材ホルダー溝を下框の長手方向に亘って有しており、召し合わせ框用キャップは下部に下方が開口するタイト材ホルダー溝を有し、下框及び召し合わせ框用キャップの各タイト材ホルダー溝は溝壁から溝内に突設した係止部を有しており且つ下框のタイト材ホルダー溝と召し合わせ框用キャップのタイト材ホルダー溝とが連続しており、タイト材は上部に被係止部を下部に下端が下枠に当接するタイト部を長手方向に亘って有し、被係止部を下框及び召し合わせ框用キャップのタイト材ホルダー溝に下方から嵌め込んで係止部に係止してあると共に下框と召し合わせ框用キャップとに亘ってタイト材が連続していることを特徴とする折り戸。
【手続補正２】
【補正対象書類名】明細書
【補正対象項目名】０００２
【補正方法】変更
【補正の内容】
【０００２】
特許文献１には、折り戸の左右戸体の下框と召し合わせ框の下端に取り付けた召し合わせ框用キャップとの各々に連続するタイト材ホルダー溝を設け、下框とキャップとに亘って連続したタイト材を装着することが開示されている。
【手続補正３】
【補正対象書類名】明細書
【補正対象項目名】０００７
【補正方法】変更
【補正の内容】
【０００７】
以下に、添付図面を参照して本発明の実施の形態を詳細に説明する。図１（ａ）は本発明の実施の形態にかかる折り戸において左右の戸体の召し合わせ部を抜き出して示す浴室側から見た正面図であり、（ｂ）は（ａ）のＡ−Ａ断面図であり、図２は図１（ａ）のＢ−Ｂ断面図であり、図３は図１に示す召し合わせ部の横断面図であり、図４は左召し合わせ框用キャップの図であり、（ａ）は正面図、（ｂ）は側面図、（ｃ）は平面図であり、図５は右召し合わせ框用キャップの図であり、（ａ）は正面図、（ｂ）は側面図、（ｃ）は平面図であり、図６は図１に示す折り戸の横断面図である。尚、図１（ａ）において一点鎖線で抜き出して示すのはキャップ２１ａの溝端壁４１側におけるタイト材２３端部の斜視図である。
本実施の形態にかかる折り戸１は、浴室戸であって、枠３と左右の戸体５、６とを備えており、下枠７に設けたレール９と浴室床面１１と脱衣室床面１３とが略同一高さであり、段差のない構成（バリヤフリー）になっている。
左右の戸体５、６はそれぞれ、下框１５、１５と、相互に回動自在に連結した召し合せ框１７、１７と、召し合わせ框１７、１７の下端に装着した召し合わせ框用キャップ（以下、単に「キャップ」という）２１ａ、２１ｂと、各戸体５、６の下端にそれぞれ設けたタイト材２３とを備えている。
左戸体５と右戸体６の各下框１５には、下方が開口するタイト材ホルダー溝２５がそれぞれ長手方向に形成されている。各タイト材ホルダー溝２５には浴室側溝壁２７と脱衣室側溝壁２９とからそれぞれ溝内に向けて突設した係止部３１が形成されている。この係止部３１はタイト材ホルダー溝２５の長手方向に亘って形成されている。
召し合わせ框用キャップ２１ａ、２１ｂには、それぞれ下框１５のタイト材ホルダー溝２５に連続するタイト材ホルダー溝３３が形成されている。キャップ２１ａ、２１ｂのタイト材ホルダー溝３３は下框１５のタイト材ホルダー溝２５と断面が略同じ形状であり、且つ室内側溝壁３５と室外側溝壁３７とにそれぞれ係止部３９が溝内に突設して形成されている。キャップ２１ａ、２１ｂの各タイト材ホルダー溝３３は、両キャップ２１ａ、２１ｂの突合せ側端が溝端壁４１により塞がれている。
キャップ２１ａ、２１ｂはそれぞれ浴室側に露出して水を下方に案内するガイド部４３を有しており、ガイド部４３の上部には浴室側に向かって下方に傾斜する傾斜部４４が設けてある。
尚、左側（図１（ａ）における左側）キャップ２１ａには、回動によりレールに係脱するラッチ５０が取り付け可能になっている。
各タイト材２３は、下框１５ａ（又は１５ｂ）のタイト材ホルダー溝２５とキャップ２１ａ（又は２１ｂ）のタイト材ホルダー溝３３とに渡って連続して装着されている。各タイト材２３は、それぞれ上部に被係止部４５を下部にタイト部４７を有しており、被係止部４５は下框１５及びキャップ２１ａ、２１ｂのタイト材ホルダー溝３３に長手方向に亘って嵌合していると共に係止部３９により溝３３内に係止されている。タイト部４７は下端が下枠７に当接している。
左右のキャップ２１ａ、２１ｂの突合せ側端では、溝端壁４１の略厚み寸法分Ｌだけ被係止部４５の長さよりもタイト部４７の長さが長くなっており、折り戸１を閉じた位置で左右の戸体５、６にそれぞれ取り付けたタイト材２５、２５のタイト部４７が当接している。
タイト材２３は、下框１５のタイト材ホルダー溝２５及びキャップ２１ａ（又は２１ｂ）のタイト材ホルダー溝３３の長手方向の寸法を合計した寸法よりも僅かに長い寸法のものを用いて各溝２５、３３に縮めて取り付けており、タイト材２３に熱による収縮が生じても各ホルダー溝２５、３３の長手方向に隙間ができ難くなっている。